(57)【要約】【課題】  変圧器運転時においては鉄心の励磁振動がコイルや金具等に伝わることになるが、従来、モールド変圧器の端子カバーがコイル上端面に置かれているだけの構成であった場合、端子カバーとコイルの接触部位において異常音を発生することがあった。また端子カバーが傾いてコイルもしくは端子に局部的に接触し、異常音を発生することもあった。【解決手段】  端子カバーがコイル上端面に配置した状態でずれないように、また、端子カバーのプラスチック部分がコイル及び端子に直接触れないように、所定の箇所にゴムを配置した構成の端子カバーとすることで、異常音の発生を防止することができる。【選択図】  図２
2006060012.tif 000002
【特許請求の範囲】
【請求項１】
変圧器の端子カバーにおいて、円筒又は角筒の透明のプラスチック樹脂であって、筒の軸方向に対して垂直の方向に投影した長方形において角部を矩形に切り欠いた形状であって、切り欠いた直線部又は切り欠いた直線部と円弧部分にゴムを取り付けたことを特徴とする変圧器の端子カバー。
【発明の詳細な説明】
【技術分野】
【０００１】
本発明は、変圧器の端子の保護カバーに関するものである。
【背景技術】
【０００２】
変圧器の端子カバーにおいて、従来は実開平２−３６６６号公報(特許文献１)に記載してあるように、変圧器等の電気機器の端子金具に装着する保護カバーに関し、円筒形状の端子保護カバーの一部に切欠部を設け、端子保護カバーを装着する際は、リード線を端子保護カバーに挿入してカバーを上方に押し上げて、リード線の先端の端子片を端子金具に接続し、保護カバーを引き下げて切欠部を支持碍子に嵌合させた状態で支持碍子上に着座させることが記載されている。
【０００３】
【特許文献１】実開平２−３６６６号公報(第１１図、第１２図)
【発明の開示】
【発明が解決しようとする課題】
【０００４】
従来の構成においては、変圧器運転時鉄心の励磁振動がコイルや金具に伝達され、モールド変圧器の端子カバーがコイル上端面部に置かれている場合、端子カバーとコイルの接触部位に異常音を発生することがあった。
【０００５】
また、端子カバーが傾いてコイル又は端子に局部的に接触して異常音を発生することがあった。
【０００６】
本発明は、上記の欠点を解消すべき、変圧器の端子カバーとコイル接触部分において、また、端子カバーが傾いてコイルもしくは端子に局部的に接触した場合においても、異常音の発生を防止することを目的とする。
【課題を解決するための手段】
【０００７】
本発明は、上記目的を達成するため、変圧器の端子カバーにおいて、円筒又は角筒の透明のプラスチック樹脂であって、筒の軸方向に対して垂直の方向に投影した長方形において角部を矩形に切り欠いた形状であって、切り欠いた直線部又は切り欠いた直線部と円弧部分にゴムを取り付けた構成にする。  
【発明の効果】
【０００８】
本発明によれば、変圧器の端子カバーとコイル接触部分において、また、変圧器の端子カバーが傾いてコイルもしくは端子に局部的に接触した場合においても、変圧器の励磁振動による異常音の発生を防止することができる。
【発明を実施するための最良の形態】
【０００９】
以下、図面を用いて発明の実施例を説明する。
【実施例１】
【００１０】
図１は本発明の端子カバーを設けたモールド変圧器の全体図である。図１において、モールド変圧器は高圧受配電機器として工場やビル設備等に広く使われており、主に動力用の三相機種と電灯用の単相機種があるが、ここでは三相機種を示す。
【００１１】
モールド変圧器は、モールドコイル２、鉄心６、金具７１、７２、ベース７３、防振ゴム７４、窓内コイル支え７５、窓外コイル支え７６等で構成されており、実施例のモールド変圧器９ではモールドコイル２の上側側面に高圧端子３がボルト止めにて取り付けられている。高圧端子３にはさらにボルト止めにて高圧ケーブル３０を接続する。また、高圧端子３と金具７１を挟んで反対側の金具７１側面には支持碍子３３が取り付けられ、この支持碍子３３には低圧端子３１を固定する。低圧端子３１にはさらにフレキシブル導体等の低圧ケーブル３２を接続する。
【００１２】
鉄心６とモールドコイル２とは、金具７１、７２、窓内コイル支え７５、窓外コイル支え７６を介して構造的に繋がっており、モールド変圧器９の運転時においては鉄心６の励磁振動がモールドコイル２や高圧端子ボルト３に伝わることになる。ただし窓内コイル支え７５は部分的に、窓外コイル支え７６は全体的にゴムを使用している為、モールドコイル２や高圧端子ボルト３に伝わる振動の強さは鉄心６の励磁振動に対して減衰することになる。
【００１３】
変圧器の高圧端子３には通常、直接高圧端子３に手等身体の一部が触れることのないように絶縁材料で構成される端子カバー１を取り付ける。本発明の変圧器の端子カバー１の全体斜視図を図２に示す。モールド変圧器９の保守点検時、端子ボルト等の緩みや異物等の混入の有無を外から目視確認できるように、端子カバー１を構成している大部分が透明のプラスチック部分１０となっている。また、この端子カバーのプラスチック部分１０は、高圧端子３が高圧ケーブル３０と繋がることから高圧ケーブル３０が通るように円筒形状としている。さらにこの端子カバーのプラスチック部分１０の形状は、端子カバー１が高圧端子３の取り付けられているモールドコイル２の上端面角部に安定して固定されるように、円筒の軸方向に対して垂直の方向に投影した長方形において、長方形の角部から短辺方向に略１／２、長辺方向に略１／２、面積で述べると略１／４だけ矩形に切り欠いた形状となっており、この切り欠いた円弧部分がコイル上端面に置かれ、切り欠いた直線部二辺がモールドコイル２の高圧端子側側面に沿った状態となっている。
【００１４】
端子カバー１は、図２に示すように上記プラスチック部分１０の他にゴム１１〜１３で構成される。ここで、ゴム１１〜１３の材質はシリコーンゴムであり、ゴム硬度は６０度である。ゴム１１〜１３はコの字形状をしており、プラスチック部分１０の切り欠いた直線部２箇所及び切り欠いた円弧１箇所の円筒厚み部分に挟み込む形で配置される。また、ゴム１３は端子カバー１の内側に筒方向に長くし、端子ボルトの頭４０と対向する面積とする。ゴム１１〜１３のプラスチック部分１０への固定はゴム１１〜１３の摩擦力によってでも良いし、ゴムのコの字形状をした内側に常温硬化型の接着用ゴムを塗布して固定しても良い。
【００１５】
これらゴム１１〜１３によって端子カバー１のプラスチック部分１０がモールドコイル２に直接接触するのを防いでいる。また、変圧器運転時の励磁振動によって、または端子カバー１のバランスが崩れて端子カバー１が移動するのを、これらゴム１１〜１３の摩擦力によって防いでいる。さらに、ゴム１３は端子カバー１の内側に筒方向に長くし端子ボルトの頭４０と対応する面積としているため、図３のように高圧ケーブル３０の接触等なんらかの理由により端子カバー１が傾く場合であっても、端子ボルト４の頭部分４０は端子カバー１のプラスチック部分１０と接触しない。
【００１６】
このように本実施例に示した端子カバー１では、プラスチック部分１０とモールドコイル２との接触部位、及びプラスチック部分１０と端子ボルト４の頭部分４０との接触部位にゴム１１〜１３を配置した構成となっている為、異常音の発生を防止することができる。
【実施例２】
【００１７】
図４に実施例２の変圧器における角筒形状の端子カバーを示す。実施例１に示す円筒形状の端子カバーとはプラスチック部分１０の形状のみ異なるが、端子カバーの構成及び機能、使用方法は実施例１と同様である。図４の角筒形状の端子カバーにおいて、ゴム１１，１２はプラスチック部分１０の切り欠いた直線部２箇所に、及びゴム１３は切り欠いた外側の直線部の厚み部分に挟み込む形で配置される。また、ゴム１３は端子カバーの内側に筒方向に長くし、端子ボルトの頭と対応する面積にする。
【産業上の利用可能性】
【００１８】
本発明に関して産業上の利用可能性は有望である。
【図面の簡単な説明】
【００１９】
【図１】本発明のモールド変圧器の全体図を示す。
【図２】本発明の実施例１における端子カバーの斜視図を示す。
【図３】本発明の端子カバーを傾けて変圧器に設置した場合の図を示す。
【図４】実施例２の変圧器における端子カバーの斜視図を示す。
【符号の説明】
【００２０】
１‥端子カバー、１０‥ 端子カバーのプラスチック部分、１１〜１３‥ ゴム、
２‥モールドコイル、３‥高圧端子、３０‥ 高圧ケーブル、３１‥ 低圧端子、
３２‥ 低圧ケーブル、３３‥ 支持碍子、４‥ 端子ボルト、４０‥ 端子ボルトの頭、
６‥鉄心、７１‥ 金具、７２‥ 金具、７３‥ ベース、７４‥ 防振ゴム、
７５‥ 窓内コイル支え、７６‥ 窓外コイル支え、９‥モールド変圧器
【図１】
2006060012.tif 000003
【図２】
2006060012.tif 000004
【図３】
2006060012.tif 000005
【図４】
2006060012.tif 000006